(57)【要約】  【課題】自動販売機の内扉ロック装置に関し、ロックレバー支持用軸受けピースを内扉に取り付ける部品点数を削減し、かつ端面露出箇所を低減することにより、錆発生箇所の低減を図る。  【解決手段】内扉４の側面部に角穴４ａと前面部に角穴４ｂを設け、軸受ピース７の平面部７ｃを内扉４の側面部の角穴４ａから内扉４内へ埋設し、軸受ピース７の軸受部７ａは内扉４の前面部の角穴４ｂから内扉４の前面へ出すことにより、軸受ピース７の平面部７ｃが軸受ピース７の取り付け部材となり、部品点数を削減できる。また、軸受ピース７の端面が内扉４内へ埋設しているので、コスト低減及び錆発生を低減した自動販売機の内扉ロック装置ができる。【選択図】図３
2010015277.tif 000002
【特許請求の範囲】
【請求項１】
自動販売機の庫内に商品収容室が形成されている断熱構造の本体と、前記本体の前面に商品取出口が設けられている外扉と、前記本体と前記外扉の間に位置する内扉と、前記内扉を前記本体へ閉位置にロックするロックレバーと、前記ロックレバーを支持する軸受ピースとを備え、前記軸受ピースを取り付ける平面部を前記内扉内へ埋設したことを特徴とする自動販売機の内扉ロック装置。
【請求項２】
前記軸受ピースを前記内扉に取り付ける固定ビスにて、前記ロックレバーの取手部を浮かせることを特徴とする請求項１に記載の自動販売機の内扉ロック装置。
【発明の詳細な説明】
【技術分野】
【０００１】
本発明は缶入り飲料などの商品を販売する自動販売機の内扉ロック装置に関するものである。
【背景技術】
【０００２】
近年、缶入り飲料などの商品を販売する自動販売機は、鉄材料部品の低減、板厚のダウンなどにより材料費の低減を図ってきた。
【０００３】
まず、図４は一般に缶入り飲料などの商品を販売する自動販売機の構成を示す図である。図４において、自動販売機の本体１の前面に設けられた外扉２と、外扉２の下部に設けた商品取出口３と、本体の前面を密閉状態に閉塞する断熱内扉４と、内扉４に手動で操作する内扉ロック装置５である。
【０００４】
次に図５は、従来の自動販売機の内扉ロック装置の構成図である。以下、図面を参照しながら上記従来の自動販売機の内扉ロック装置を説明する。なお、図５は内扉４を閉塞した状態を表している。図５に示すように従来の自動販売機の内扉ロック装置５は、内扉４の手動にて開閉を行うロックレバー１０６と、ロックレバー１０６を支持するための軸受ピース１０７と、軸受ピース１０７を内扉４に固定ビス１０８にて保持するための内扉４内に埋設された取付け部材１０９と、また本体１側にはロック板１１０から構成されている。
【０００５】
ここで、ロックレバー１０６は、軸端部１０６ａがＬ形に曲げられており、軸部１０６ｂを経て、手動操作用の取手部１０６ｃから構成されており、前記軸受ピース１０７の軸受部１０７ａに嵌挿して回転、スライド可能に支持している。
【０００６】
また、手動操作用の取手部１０６ｃを掴む際、指が掴みやすいように、軸受ピース１０７に起し加工１０７ｂが施され、起し加工１０７ｂにロックレバー１０６が位置するよう構成されている。
【０００７】
以上のように構成された自動販売機の内扉ロック装置について、以下その動作を説明する。
【０００８】
まず、図５の内扉４を閉塞した状態からでは、ロックレバー１０６の取手部１０６ｃを軸部１０６ｂ中心に回転動作により持ち上げ、内扉４のヒンジ側へスライドさせ、取手部１０６ｃを引くことで本体１から開状態となる。
【０００９】
また、内扉４を開状態でロックするには、前記の逆手順にて本体１に内扉４を閉塞した状態にすることができる。このとき、ロックレバー１０６の軸端部１０６ａがロック板１１０の角穴１１０ａに側方から入り込み、角穴１１０ａの前縁に当接し、本体１へ押しつけることから、密閉状態となることができる。
【特許文献１】特開平１０−７９０８０号公報
【発明の開示】
【発明が解決しようとする課題】
【００１０】
しかしながら、上記従来の構成は、軸受ピース１０７を取り付けるために内扉４内部に取付け部材１０９があり部品点数が増え、コストアップになるという課題を有していた。
【００１１】
また、軸受ピース１０７が内扉４前面に取り付けられているため、端面の錆が顕著に見られるという課題を有していた。
【００１２】
本発明は上記従来の課題を解決するもので、自動販売機の内扉ロック装置の部品点数を低減し、コストダウンを図ることを目的とする。
【００１３】
また、軸受ピースの錆を低減した自動販売機の内扉ロック装置を提供することを目的とする。
【課題を解決するための手段】
【００１４】
上記従来の課題を解決するために、本発明の自動販売機の内扉ロック装置は、自動販売機の庫内に商品収容室が形成されている断熱構造の本体と、前記本体の前面に商品取出口が設けられている外扉と、前記本体と前記外扉の間に位置する内扉と、前記内扉を前記本体へ閉位置にロックするロックレバーと、前記ロックレバーを支持する軸受ピースとを備え、前記軸受ピースを取り付ける平面部を前記内扉内へ埋設したものである。
【００１５】
これによって、軸受ピースを内扉に取り付けるための取付け部材が不要となり、部品点数の削減ができる。また、軸受ピースの平面部を内扉に埋設することで、軸受ピースの露出箇所を低減することができ、軸受ピースの錆発生箇所を低減することができる。
【発明の効果】
【００１６】
本発明の自動販売機の内扉ロック装置は、軸受ピースが内扉内へ埋設しているので、軸受ピースを内扉に固定するための取付け部材が廃止でき、部品点数の削減ができる。また、端面の露出も低減できるので、錆発生箇所の低減ができる。
【発明を実施するための最良の形態】
【００１７】
請求項１に記載の発明は、自動販売機の庫内に商品収容室が形成されている断熱構造の本体と、前記本体の前面に商品取出口が設けられている外扉と、前記本体と前記外扉の間に位置する内扉と、前記内扉を前記本体へ閉位置にロックするロックレバーと、前記ロックレバーを支持する軸受ピースとを備え、前記軸受ピースを取り付ける平面部を前記内扉内へ埋設したものであり、軸受ピースを内扉に取り付けるための取付け部材が不要となり、部品点数の削減ができる。また、軸受ピースの平面部を内扉に埋設することで、軸受ピースの露出箇所を低減することができ、軸受ピースの錆発生箇所を低減することができる。
【００１８】
請求項２に記載の発明は、請求項１に記載の発明において、前記軸受ピースを前記内扉に取り付ける固定ビスにて、前記ロックレバーの取手部を浮かせるものであり、内扉の開閉の際、容易にロックレバーを掴むための、軸受ピースの起し加工や、ロックレバーの取手部が掴めるようなロックレバーの曲げ加工が廃止でき、コスト低減を図ることができる。
【００１９】
以下、本発明の実施の形態について、図面を参照しながら説明する。なお、この実施の形態によってこの発明が限定されるものではない。
【００２０】
（実施の形態１）
図１は、本発明の実施の形態１における自動販売機の内扉ロック装置の構成図である。図２は同実施の形態１における自動販売機の内扉ロック装置の内扉角穴詳細図である。
【００２１】
自動販売機本体は基本的に図４に示した従来構造と同様であるが、本発明の自動販売機の内扉ロック装置は、図１に示すように、内扉４の側面部に角穴４ａと前面部に角穴４ｂを設け、内扉４の閉位置にロックするロックレバー６を支持する軸受ピース７の平面部７ｃを内扉４の側面部の角穴４ａから内扉４内へ埋設し、軸受ピース７の軸受部７ａは内扉４の前面部の角穴４ｂから内扉４の前面へ出すことで、ロックレバー６を支持することができる。
【００２２】
以上のように構成された自動販売機の内扉ロック装置について、以下その動作、作用を説明する。
【００２３】
図１は内扉４を閉塞した状態を示しており、まず、内扉４を閉塞した状態からでは、ロックレバー６の取手部６ｃを軸部６ｂ中心に回転動作により持ち上げ、内扉４のヒンジ側へスライドさせ、取手部６ｃを引くことで本体１から開状態となる。
【００２４】
また、内扉４を開状態でロックするには、前記の逆手順にて本体１に内扉４を閉塞した状態にすることができる。このとき、ロックレバー６の軸端部６ａがロック板１０の角穴１０ａに側方から入り込み、角穴１０ａの前縁に当接し、本体１へ押しつけることから、密閉状態となることができる。
【００２５】
以上のように、本実施の形態においては、軸受ピース７の平面部７ｃが内扉４内へ埋設されているので、軸受ピース７を内扉４に取り付けるための取付け部材が不要となり、部品点数の削減ができる。
【００２６】
また、軸受ピース７の平面部７ｃを、内扉４の側面部の角穴４ａに挿入し埋設することで、軸受ピース７の端面の露出箇所を低減することができ、錆発生箇所を低減することができる。
【００２７】
（実施の形態２）
図３は、本発明の実施の形態２における自動販売機の内扉ロック装置の構成図である。
【００２８】
図３に示すように、自動販売機は基本的に図４に示した従来構造と同様であるが、内扉４の側面部に角穴４ａと前面部に角穴４ｂを設け、内扉４の閉位置にロックするロックレバー６を支持する軸受ピース７の平面部７ｃを内扉４の側面部の角穴４ａから内扉４内へ埋設し、軸受ピース７の軸受部７ａは内扉４の前面部の角穴４ｂから内扉４の前面へ出すことで、ロックレバー６を支持することができる。また、軸受ピース７を内扉４に取り付ける固定ビス８の上部に、ロックレバー６が位置しており、ロックレバー６の取手部６ｃが内扉４から浮いている。
【００２９】
以上のように構成された自動販売機の内扉ロック装置について、以下その動作、作用を説明する。
【００３０】
図３は内扉４を閉塞した状態を示しており、まず、内扉４を閉塞した状態からでは、軸受ピース７の取り付ける固定ビス８により内扉４から浮いているロックレバー６の取手部６ｃを掴み、軸部６ｂ中心に回転動作により持ち上げ、内扉４のヒンジ側へスライドさせ、取手部６ｃを引くことで本体１から開状態となる。
【００３１】
また、内扉４を開状態でロックするには、前記の逆手順にて本体１に内扉４を閉塞した状態にすることができる。このとき、ロックレバー６の軸端部６ａがロック板１０の角穴１０ａに側方から入り込み、角穴１０ａの前縁に当接し、本体１へ押しつけることから、密閉状態となることができる。
【００３２】
以上のように、本実施の形態においては、軸受ピース７を内扉４に取り付けるための固定ビス８が内扉４を閉塞した状態において、固定ビス８の上部にロックレバー６が位置することにより、ロックレバー６の取手部６ｃが内扉４から浮いた状態となり、ロックレバー６の取手部６ｃを容易に掴むことができる。
【００３３】
また、ロックレバー６の取手部６ｃを浮いた状態にするのに、軸受ピース７の起し加工やロックレバー６の曲げ加工が廃止でき、加工費を低減することができる。
【産業上の利用可能性】
【００３４】
以上のように、本発明にかかる自動販売機の内扉ロック装置は、内扉が閉位置にロックするロックレバーを支持する軸受ピースを、前記内扉内へ埋設することで、機能を変えることなく、部品点数を削減でき、また、端面露出を低減できるので錆発生にも低減することができるので、缶入り飲料などの商品を販売する自動販売機以外にも、たばこや切符の自動販売機の内扉ロック装置等の用途にも適用できる。
【図面の簡単な説明】
【００３５】
【図１】本発明の実施の形態１における自動販売機の内扉ロック装置の構成図
【図２】同実施の形態１における自動販売機の内扉ロック装置の内扉角穴詳細図
【図３】本発明の実施の形態２における自動販売機の内扉ロック装置の構成図
【図４】従来の自動販売機の構成を示す図
【図５】従来の自動販売機の内扉ロック装置の構成図
【符号の説明】
【００３６】
４    内扉
６    ロックレバー
６ｃ  取手部
７    軸受ピース
７ｃ  平面部
８    固定ビス
【図１】
2010015277.tif 000003
【図２】
2010015277.tif 000004
【図３】
2010015277.tif 000005
【図４】
2010015277.tif 000006
【図５】
2010015277.tif 000007